【手続補正書】
【提出日】平成25年10月9日(2013.10.9)
【手続補正１】
【補正対象書類名】明細書
【補正対象項目名】００１０
【補正方法】変更
【補正の内容】
【００１０】
本発明に係るアドレス設定ファイル作成装置は、上記の課題を解決するために、データ形式の異なる複数のサンプリングデータを記憶している第１記憶部のアドレスを指定して前記サンプリングデータを取得し、かつ、第２記憶部のワード単位に区画される複数の記憶領域に当該取得したサンプリングデータを記憶させるとともに、前記サンプリングデータの取得時または前記サンプリングデータの記憶時に前記データ形式のデータであるデータ形式データおよび前記アドレスのデータであるアドレスデータを参照するＨＭＩ処理部を有するプログラマブル表示器のために、前記データ形式データおよび前記アドレスデータを設定するアドレス設定ファイルを作成するアドレス設定ファイル作成装置であって、前記データ形式データを設定かつ表示するためのデータ形式設定表示領域と、前記アドレスデータを設定かつ表示するためのアドレス設定表示領域と、前記ＨＭＩ処理部により、前記第１記憶部の連続する前記アドレスが指定されて同一のデータ形式の前記サンプリングデータを連続して取得するために前記アドレスが連続して指定されるときの前記アドレスの数のデータである連続数データを設定かつ表示する連続数設定表示領域と、同一の前記記憶領域に対応する、前記データ形式設定表示領域、前記アドレス設定表示領域および前記連続数設定表示領域を含む包括領域を特定する番号を表示する番号表示領域と、を項目として含む表形式の設定画像を表示する設定画像表示手段を備え、当該設定画像表示手段が、前記データ形式設定表示領域へ入力された前記データ形式データを設定および表示するデータ形式設定表示手段と、前記連続数設定表示領域へ入力された前記連続数データを設定および表示する連続数設定表示手段と、前記アドレス設定表示領域へ入力された前記アドレスデータを設定および表示するアドレス設定表示手段と、前記データ形式データ、前記連続数データおよび前記アドレスデータが、同一の番号で特定される前記包括領域における、前記データ形式設定表示領域、前記連続数設定表示領域および前記アドレス設定表示領域に、それぞれ入力され、かつ、前記データ形式設定表示手段、前記連続数設定表示手段および前記アドレス設定表示手段により設定されたときに、当該番号で特定される包括領域を基準として、当該データ形式データおよび当該連続数データに応じて必要となるワードの数に応じた数の前記包括領域を確保する包括領域確保手段とを有しており、前記アドレス設定表示手段が、前記同一の番号で特定される包括領域に設定した前記アドレスデータから連続した前記アドレスデータを前記包括領域確保手段により確保された包括領域の前記アドレス設定表示領域に設定および表示することを特徴としている。
【手続補正２】
【補正対象書類名】明細書
【補正対象項目名】００３６
【補正方法】変更
【補正の内容】
【００３６】
〔３−２−１．スクリーンおよびタッチパネルの構成〕
スクリーン２２は、プログラマブル表示器２を薄型に構成するために、液晶パネルや、ＥＬパネルや、プラズマディスプレイパネルのような平板型表示パネルが好適に用いられる。タッチパネル２３は、スクリーン２２の表示面上でタッチ入力を行うために設けられている入力装置である。
【手続補正３】
【補正対象書類名】明細書
【補正対象項目名】００７７
【補正方法】変更
【補正の内容】
【００７７】
したがって、設定表示エリア２０２は、上記の行と行番号表示セル２０２ａとの組み合わせを複数有している。具体的には、行番号表示セル２０２ａに１から５１２までの行番号を表示する。つまり、第１行〜第５１２行が、それぞれ第１の記憶領域〜第５１２の記憶領域に対応している。また、設定表示エリア２０２は、設定および表示の可能な行として５１２行有している。さらに、設定表示エリア２０２においては、データ形式がワード１６ビット、ビットおよび文字列であるサンプリングデータに対しては１行が使用され、データ形式がワード３２ビットであるサンプリングデータに対しては２行が使用されることになる。
【手続補正４】
【補正対象書類名】明細書
【補正対象項目名】００９２
【補正方法】変更
【補正の内容】
【００９２】
なお、表示状態を異ならせることについては、両表示状態を明確に区別することができれば上記の例に限定されない。例えば、設定に使用されていない行の行番号表示セル２０２ａにマークを付記してもよいし、行番号表示セル２０２ａの行番号を点滅表示させてもよい。
【手続補正５】
【補正対象書類名】明細書
【補正対象項目名】００９９
【補正方法】変更
【補正の内容】
【００９９】
図４に示すように、第４行にワード１６ビットのデータ形式が設定され、３の連続数が設定された場合、データ形式がワード１６ビットであるサンプリングデータは、３行（３ワード）に相当する。したがって、この場合は、第４行に続いて２行（第５行および第６行）が確保される。そして、確保された第５行および第６行におけるアドレス設定表示セル２０２ｃには、第４行のデバイスアドレス“［ＰＬＣ１］Ｄ００１０”に続いて、“［ＰＬＣ１］Ｄ００１１”と“［ＰＬＣ１］Ｄ００１２”とが自動的に設定されて表示される。
【手続補正６】
【補正対象書類名】明細書
【補正対象項目名】０１００
【補正方法】変更
【補正の内容】
【０１００】
また、図４に示すように、第１５行にワード３２ビットのデータ形式が設定され、２の連続数が設定された場合、ワード３２ビットのサンプリングデータは、４行（４ワード）に相当する。したがって、この場合は、第１５行に続いて３行（第１６行〜第１８行）が確保される。また、この場合は、２行を１組とすることから、２行のうちの先頭行にデバイスアドレスが設定される。このため、第１７行におけるアドレス設定表示セル２０２ｃには、第１５行のデバイスアドレス“［ＰＬＣ１］Ｄ００４０”に続いて、“［ＰＬＣ１］Ｄ００４２”が自動的に設定されて表示される。
【手続補正７】
【補正対象書類名】特許請求の範囲
【補正対象項目名】全文
【補正方法】変更
【補正の内容】
【特許請求の範囲】
【請求項１】
データ形式の異なる複数のサンプリングデータを記憶している第１記憶部のアドレスを指定して前記サンプリングデータを取得し、かつ、第２記憶部のワード単位に区画される複数の記憶領域に当該取得したサンプリングデータを記憶させるとともに、前記サンプリングデータの取得時または前記サンプリングデータの記憶時に前記データ形式のデータであるデータ形式データおよび前記アドレスのデータであるアドレスデータを参照するＨＭＩ処理部を有するプログラマブル表示器のために、前記データ形式データおよび前記アドレスデータを設定するアドレス設定ファイルを作成するアドレス設定ファイル作成装置であって、
前記データ形式データを設定かつ表示するためのデータ形式設定表示領域と、
前記アドレスデータを設定かつ表示するためのアドレス設定表示領域と、
前記ＨＭＩ処理部により、前記第１記憶部の連続する前記アドレスが指定されて同一のデータ形式の前記サンプリングデータを連続して取得するために前記アドレスが連続して指定されるときの前記アドレスの数のデータである連続数データを設定かつ表示する連続数設定表示領域と、
同一の前記記憶領域に対応する、前記データ形式設定表示領域、前記アドレス設定表示領域および前記連続数設定表示領域を含む包括領域を特定する番号を表示する番号表示領域と、
を項目として含む表形式の設定画像を表示する設定画像表示手段を備え、
当該設定画像表示手段は、
前記データ形式設定表示領域へ入力された前記データ形式データを設定および表示するデータ形式設定表示手段と、
前記連続数設定表示領域へ入力された前記連続数データを設定および表示する連続数設定表示手段と、
前記アドレス設定表示領域へ入力された前記アドレスデータを設定および表示するアドレス設定表示手段と、
前記データ形式データ、前記連続数データおよび前記アドレスデータが、同一の番号で特定される前記包括領域における、前記データ形式設定表示領域、前記連続数設定表示領域および前記アドレス設定表示領域に、それぞれ入力され、かつ、前記データ形式設定表示手段、前記連続数設定表示手段および前記アドレス設定表示手段により設定されたときに、当該番号で特定される包括領域を基準として、当該データ形式データおよび当該連続数データに応じて必要となるワードの数に応じた数の前記包括領域を確保する包括領域確保手段とを有しており、
前記アドレス設定表示手段が、前記同一の番号で特定される包括領域に設定した前記アドレスデータから連続した前記アドレスデータを前記包括領域確保手段により確保された包括領域の前記アドレス設定表示領域に設定および表示することを特徴とするアドレス設定ファイル作成装置。
【請求項２】
前記設定画像表示手段は、確保された前記包括領域に対応する前記番号表示領域を、確保されていない前記包括領域に対応する前記番号表示領域と異なる表示状態で表示させる番号表示制御手段を有していることを特徴とする請求項１に記載のアドレス設定ファイル作成装置。
【請求項３】
前記データ形式設定表示手段は、連続して確保された前記包括領域の先頭の包括領域についてのみ前記データ形式設定表示領域に前記データ形式を表示し、
前記連続数設定表示手段は、連続して確保された前記包括領域の先頭の包括領域についてのみ前記連続数設定表示領域に前記連続数データを表示し、
前記設定画像表示手段は、連続して確保された前記包括領域の先頭の包括領域以外の前記包括領域を、確保されていない前記包括領域と異なる表示状態で表示させる包括領域表示制御手段を有していることを特徴とする請求項１に記載のアドレス設定ファイル作成装置。
【請求項４】
前記設定画像表示手段は、前記包括領域確保手段による前記包括領域の確保が可能な範囲を超えて、前記データ形式設定表示領域に前記データ形式が設定されているとき、または前記連続数設定表示領域に前記連続数データが設定されているときに、前記包括領域を確保できないことを報知する報知手段を有していることを特徴とする請求項１、２または３に記載のアドレス設定ファイル作成装置。
【請求項５】
請求項１〜４のいずれか１項に記載のアドレス設定ファイル作成装置における前記各手段としてコンピュータを機能させるためのアドレス設定ファイル作成プログラム。